(57)【要約】      （修正有）【課題】スペースを取らずに小物入れ内にいれたまま机の上に取出しておくことができ、かつ、内部の物が見やすい小物入れを提供する【解決手段】前胴部１２と後胴部と、幅方向に一対に設けられた横マチ１６ａ、１６ｂ部と、底部と、底部と反対側に設けられた第１開口部と、を有し、第１開口部から底部までが連続した空間で形成されている小物入れ１０であって、前胴部及び一対の横マチ部は、一方の横マチ部から前胴部及び他方の横マチ部に連続的に形成された第２開口部２２と、第２開口部を開閉するための第２開口部開閉手段２４と、を有し、後胴部は、横マチ部に形成された第２開口部に対応する位置に、折り曲げ部を有する小物入れである。【選択図】図６
2020124383.tif 000002
【特許請求の範囲】
【請求項１】
前胴部と後胴部と、幅方向に一対に設けられた横マチ部と、底部と、前記底部と反対側に設けられた第１開口部と、を有し、前記第１開口部から前記底部までが連続した空間で形成されている小物入れであって、
前記前胴部及び前記一対の横マチ部は、一方の前記横マチ部から前記前胴部及び他方の横マチ部に連続的に形成された第２開口部と、前記第２開口部を開閉するための第２開口部開閉手段と、を有し、
前記後胴部は、前記一対の横マチ部に形成された前記第２開口部に対応する位置に、折り曲げ部を有する小物入れ。
【請求項２】
前記第１開口部を開閉するための第１開口部開閉手段を有する請求項１に記載の小物入れ。
【請求項３】
前記後胴部は、前記折り曲げ部を除いた領域に、補強部材を備える請求項１又は２に記載の小物入れ。
【請求項４】
前記後胴部は、前記後胴部を前記折り曲げ部で折り曲げた時に、前記折り曲げ部を挟んで対応する位置に、固定部材を有する請求項１から３のいずれか１項に記載の小物入れ。
【請求項５】
前記固定部材が面ファスナーである請求項４に記載の小物入れ。
【請求項６】
前記固定部材が磁石である請求項４に記載の小物入れ。
【請求項７】
前記第２開口部が開いた状態で、前記折り曲げ部を外側に折り曲げることで、前記第２開口部から内部の物を突出させる請求項１から６のいずれか１項に記載の小物入れ。
【請求項８】
前記第２開口部が開いた状態で、前記折り曲げ部を外側に折り曲げることで、前記底部と、前記前胴部及び前記後胴部の前記底部の反対側の端部と、で自立させることができる請求項１から７のいずれか１項に記載の小物入れ。
【請求項９】
前記後胴部の内側で、前記折り曲げ部より底部側にポケット部を有する請求項１から８のいずれか１項に記載の小物入れ。
【請求項１０】
前記後胴部の前記折り曲げ部の両側部に、開閉補助部材を有する請求項１から９のいずれか１項に記載の小物入れ。
【発明の詳細な説明】
【技術分野】
【０００１】
本発明は、小物入れに係り、特に、かばんに入れて持ち歩き、使用時にはかばんから取り出し、小物入れの中の物を容易に取り出すことができ小物入れに関する。
【背景技術】
【０００２】
近年、携帯電話、モバイル端末及びタブレットの普及により、かばんから頻繁に出し入れするものが多くなっている。そのため、かばんの中を整理して収納する必要がある。例えば、下記の特許文献１には、かばんの中に入れる整理内袋であり、入れる物の大きさに応じて、仕切りピンを自由に動かし、調整できることが記載されている。また、特許文献２には、筆記具等を収納することができ、閲覧性に優れた小物入れが記載されている。
【先行技術文献】
【特許文献】
【０００３】
【特許文献１】特開２００４−１３６０３８号公報
【特許文献２】特開２０１８−１４８９７０号公報
【発明の概要】
【発明が解決しようとする課題】
【０００４】
特許文献１に記載されているかばんは、小物入れをかばん内に設けることで、かばん内を整理するものであるため、かばん内の物を取り出す時は、大きなかばんから小物を取り出す必要があった。そのため、講義や会議等の場合は、事前に必要な物を取り出しておく、あるいは、必要時に大きなかばんから取り出す必要があった。また、特許文献２に記載の小物入れは、小物入れを取り出しておくことはできるが、そのためのスペースが必要であった。筆記具であれば、大きなスペースは必要ないが、タブレット等の場合は、大きなスペースが必要となるため、必要時にかばんから出して使用する必要があった。
【０００５】
本発明はこのような事情に鑑みてなされたものであり、かばん内での物の整理を容易にすることができ、携帯電話、タブレット等の比較的大きなものを、スペースを取らずに小物入れ内にいれたまま机の上に取出しておくことができ、かつ、内部の物が見やすい小物入れを提供することを目的とする。
【課題を解決するための手段】
【０００６】
本発明の目的を達成するために、本発明に係る小物入れは、前胴部と後胴部と、幅方向に一対に設けられた横マチ部と、底部と、底部と反対側に設けられた第１開口部と、を有し、第１開口部から底部までが連続した空間で形成されている小物入れであって、前胴部及び一対の横マチ部は、一方の横マチ部から前胴部及び他方の横マチ部に連続的に形成された第２開口部と、第２開口部を開閉するための第２開口部開閉手段と、を有し、後胴部は、第２開口部に対応する位置に、折り曲げ部を有する。
【発明の効果】
【０００７】
本発明の小物入れによれば、小物入れ内に物を収納し、かばんに本発明の小物入れを収納することで、かばん内での物の整理を容易に行うことができる。また、本発明の小物入れ内から物を取り出す際は、かばん内であれば第１開口部から取り出すことができる。本発明の小物入れをかばんから取り出した際は、前胴部及び一対の横マチ部に形成された第２開口部を開け、後胴部に形成された折り曲げ部で折り曲げることで、小物入れ内部の物を第２開口部から突出させることができ、小物入れ内部の物を見易くすることができ、取出し易くすることができる。また、折り曲げ部で折り曲げることで、小物入れの底部と、前胴部及び後胴部の底部と反対側の端部と、で小物入れを自立させることができるので、机等の上においても、大きなスペースを必要としない。
【図面の簡単な説明】
【０００８】
【図１】第１実施形態の小物入れの正面側からの斜視図である。
【図２】第１実施形態の小物入れの背面側からの斜視図である。
【図３】折り曲げ部で後胴部を折り曲げた状態を示す斜視図である。
【図４】図３の側面図である。
【図５】第２開口部を示す平面図である。
【図６】小物入れの使用状態を示す図である。
【図７】小物入れの展開図である。
【図８】第１実施形態の変形例の小物入れの背面側からの斜視図である。
【図９】第２実施形態の小物入れの正面側からの斜視図である。
【図１０】第２実施形態の小物入れの背面側からの斜視図である。
【図１１】折り曲げ部で後胴部を折り曲げた状態を示す側面図である。
【発明を実施するための形態】
【０００９】
以下、添付図面に従って、本発明に係る小物入れについて説明する。本発明の小物入れは、主に、かばん内に収納して持ち運び、必要に応じてかばん内から取り出して使用する小物入れである。
【００１０】
［第１実施形態］
図１は第１実施形態の小物入れの正面側からに斜視図であり、図２は小物入れの背面側からの斜視図である。図１及び図２に示すように、本実施形態の小物入れ１０は、前胴部１２と、後胴部１４と、幅方向に一対に設けられた横マチ部１６ａ、１６ｂと、底部１８（図４に記載）と、を備え、略直方体型の形状をしている。前胴部１２と後胴部１４の底部１８とは反対側には、前胴部１２及び後胴部１４の端部１２ａ、１４ａで構成される第１開口部２０を有する。小物入れ１０内の空間は、第１開口部２０から底部１８まで連続した空間で形成されている。
【００１１】
前胴部１２及び一対の横マチ部１６ａ、１６ｂには、一方の横マチ部１６ａから前胴部１２及び他方の横マチ部１６ｂに向かって連続的に形成された第２開口部２２（図３に記載）が形成されている。第２開口部２２は、第２開口部２２の開閉を行う第２開口部開閉手段２４を有する。第２開口部２２は、底部１８と第１開口部２０と略平行に、底部１８と第１開口部２０との間に設けられている。
【００１２】
後胴部１４には、一対の横マチ部１６ａ、１６ｂに形成された第２開口部２２に対応する位置に、折り曲げ部２６が形成されている。折り曲げ部２６は、後胴部１４の折り曲げ部２６以外の領域と比較し、曲げやすい構造となっている。
【００１３】
本実施形態の小物入れ１０は、布によって形成されており、例えば、外生地をポリエステル９００Ｄ  ＰＯ、内生地をポリエステル２１０Ｄ  ＰＯにより形成された２層構造とすることができる。ただし、小物入れの材料はこれに限定されず、他の材料を用いてもよい。また、小物入れ１０に強度を持たせるため、２層構造の外生地と内生地の間に補強部材を備えてもよい。補強部材としては、特に限定されないが、ペフ芯を用いることができる。ペフ芯を用いることで、布地に強度を持たせることができるとともに、緩衝材としても用いることができ、外部からの衝撃を吸収することができる。ペフ芯の材料としては、例えば、ポリオレフィンを用いることができ、厚みは５ｍｍとすることができる。
【００１４】
補強部材は、前胴部１２の第２開口部２２に対して上部側及び下部側、及び、後胴部１４の折り曲げ部２６に対して上部側及び下部側に備えることができる。後胴部１４において、折り曲げ部２６を除いた部分に補強部材を設けることで、折り曲げ部２６の強度を、他の部分より弱くすることができ、折り曲げ部２６で後胴部１４を折り曲げ易くすることができる。また、補強部材を設けることで、後述する小物入れ１０を自立させる際に、安定させることができる。補強部材は、一対の横マチ部１６ａ、１６ｂに設けても良い。なお、折り曲げ部２６は、補強部材を設ける他に、素材自体の強度により、折り曲げやすくしてもよい。
【００１５】
後胴部１４には、後胴部１４を折り曲げ部２６で折り曲げた際に、後胴部同士を固定するための固定部材２８ａ、２８ｂを、折り曲げ部２６を挟んで対応する位置に備える。固定部材としては、着脱を容易に行うことができる面ファスナー（マジックテープ（登録商標））を用いることができる。また、固定部材としては、磁石を用いることができる。磁石は、後胴部１４の外表面に設けてもよいし、内側に設けてもよい。
【００１６】
本実施形態においては、第１開口部２０に第１開口部開閉手段３０を備えている。第１開口部開閉手段３０を設けることで、本実施形態の小物入れ１０をかばん内に入れても小物入れ１０内から外に出ることを防止することができる。第１開口部２０に第１開口部開閉手段３０を設けないことで、かばん内に本実施形態の小物入れ１０が収納されている状態で、小物入れ１０内の物を容易に取り出すことができる。
【００１７】
第１開口部開閉手段３０及び第２開口部開閉手段２４としては、線ファスナーを用いることができる。線ファスナーは、例えば、第１開口部開閉手段３０は、Ｎｏ３ダルマを用いることができる。第１開口部開閉手段３０は、図１に示すようにその周囲にマチ部３８を設けて前胴部１２及び後胴部１４と接合し、第１開口部２０を形成してもよい。第２開口部開閉手段２４は、例えば、Ｎｏ．３長ステスを用いることができる。
【００１８】
小物入れ１０の大きさとしては、Ｂ５サイズ、Ａ４サイズ、化粧ポーチのサイズ等、様々なサイズのものを、小物入れ１０内に入れる物に応じて適宜設計することができる。例えば、Ｂ５サイズの場合は、次のサイズとすることができる。小物入れ１０の高さは、上端から第２開口部２２までの高さＨ１＝８５ｍｍ、第２開口部開閉手段２４（折り曲げ部２６）の幅Ｈ２＝１０ｍｍ、第２開口部２２から底部１８までの高さＨ３＝９５ｍｍとすることができ、小物入れ１０全体の高さとしては１９０ｍｍとすることができる。小物入れ１０の幅方向の長さＷ１＝２４０ｍｍとすることができる。小物入れ１０の奥行きＤ１＝４０ｍｍとすることができる。
【００１９】
図３は、折り曲げ部で後胴部を折り曲げた状態を示す斜視図であり、図４は図３の側面図、図５は第２開口部を示す平面図である。また、図６は、小物入れの使用状態を示す図である。
【００２０】
第２開口部開閉手段２４を開き、後胴部１４を折り曲げ部２６で外側に折り曲げることで、第２開口部２２を開放することができる。これにより、図６に示すように、小物入れ１０内の物（スマートフォン３４、筆記用具３６等）を第２開口部２２から取り出すことができる。小物入れ１０内の物は、小物入れ１０内に収納した状態において、小物入れ１０の第２開口部２２より高い位置に物の上部があってもよい。小物入れ１０内の物の上部が、第２開口部２２より高い位置とすることで、物の上部を第２開口部２２から突出させることができ、物を取り出し易くすることができる。
【００２１】
また、後胴部１４を折り曲げることで、底部１８と、折り曲げた後胴部１４の端部１４ａ及び前胴部１２の端部１２ａで、小物入れ１０を立たせたることができる。後胴部１４を折り曲げた際に、後胴部１４の外表面に設けられた固定部材（マジックテープ）２８ａ、２８ｂを貼り合わせることで、折り曲げた後胴部１４を、固定することができる。これにより、後胴部１４の外表面同士が離れることを防止することができ、小物入れ１０を安定して自立させることができる。
【００２２】
後胴部１４の小物入れ内側には、折り曲げ部２６より底部１８側に、内ポケット（ポケット部）３２を設けることができる。図３は、内ポケット３２が３つに仕切られた図としているが、数は３つに限定されない。また、内ポケット３２の幅も、小物入れ１０内に入れる物、例えば、スマートフォン、タブレット、筆記用具等のサイズに応じて、製造時に適宜、設計することができる。例えば、図３に示す実施形態においては、図３において、左側から１００ｍｍ、３０ｍｍ、１１０ｍｍとすることができる。また、内ポケット３２のタグは１０ｍｍとすることができる。
【００２３】
本実施形態の小物入れ１０によれば、後胴部１４を折り曲げていない状態においては、底部１８の面積が狭く、小物入れ１０を自立させることができないが、後胴部１４を折り曲げることで、底部１８、前胴部１２の端部１２ａ、及び、後胴部１４の端部１４ａで小物入れ１０を自立させることができる。したがって、小物入れ１０を寝かせて載置した場合と比較し、少ないスペースで小物入れ１０を机等の上におくことができる。
【００２４】
上述したように、本実施形態の小物入れ１０は、上端から第２開口部２２までの高さＨ１が、第２開口部２２から底部までの高さＨ３より短くなっている。したがって、図４に示すように、折り曲げ部２６で折り曲げた際に、前胴部１２及び後胴部１４の上部側が高さＨ４だけ短くなる。そのため、図４においては、水平方向に対して垂直に立っているが、実際には、小物入れ１０は、第２開口部２２より下側が、後胴部１４側（図４において右側）に傾いて自立している。小物入れ１０を傾けて立たせることで、小物入れ１０内部の物を見やすくすることができ、容易に物を取り出すことができる。
【００２５】
また、小物入れの中にパソコン又はタブレットなど、ある程度の重さがあるものを入れる場合がある。この時、図４に示すように、小物入れを傾けて自立できる状態とすると、パソコン又はタブレットの重さでさらに傾いてしまう。このような場合は、上端から第２開口部２２までの高さＨ１と第２開口部２２から底部１８までの高さＨ３を同じ高さとし、Ｈ４を「０」とする。これにより、パソコン又はタブレットなどの重さによる適度の傾きを有して小物入れを設置することができる。小物入れのサイズとしては、Ｈ１＝９０ｍｍ、Ｈ２＝１０ｍｍ、Ｈ３＝９０ｍｍとすることができる。
【００２６】
図７は、小物入れの展開図である。本実施形態の小物入れ１０は、主に３つの部材から構成されており、後胴部１４と底部１８を構成する部材Ａ、第２開口部２２より上側の前胴部１２と一対の横マチ部１６ａ、１６ｂを構成する部材Ｂ、及び、第２開口部２２より下側の前胴部１２と一対の横マチ部１６ａ、１６ｂを構成する部材Ｃの３つの部材からなる。後胴部１４を一枚の部材で構成することで、折り曲げ部２６で折り曲げる際の耐久性を向上させることができる。部材Ａと部材Ｂ、及び、部材Ａと部材Ｃは、それぞれを縫い合わせることで接合することができる。部材Ｂと部材Ｃとの接合部分は、第２開口部２２を構成する部分であり、第２開口部開閉手段２４により接合されている。
【００２７】
（変形例）
図８は、本実施形態の小物入れの変形例を示す背面側からの斜視図である。図８に示す小物入れ５０は、後胴部１４の折り曲げ部２６の両側部には、開閉補助部材５２ａ、５２ｂを有する点が、上述した小物入れ１０と異なっている。開閉補助部材５２ａ、５２ｂを設けることで、第２開口部開閉手段２４を線ファスナーとした場合、開閉補助部材５２ａ、５２ｂを手に持って、第２開口部開閉手段２４の開閉を行うことで、作業を容易に行うことができる。
【００２８】
［第２実施形態］
図９から図１１は、第２実施形態の小物入れ示す図であり、図９は正面側からの斜視図、図１０は背面側からの斜視図、図１１は折り曲げ部で後胴部を折り曲げた状態の側面図である。図９から図１１に示す小物入れ１００は、固定部材１２８ａ、１２８ｂ及び第２開口部１２２の形状が異なる点で、第１実施形態の小物入れ１０と異なっている。第１実施形態の小物入れ１０と共通する構成は、同じ符号を付して、その説明を省略する。
【００２９】
図１０に示すように、小物入れ１００の後胴部１４の外表面には、固定部材１２８ａ、１２８ｂを備える。固定部材１２８ｂは、小物入れ１０と同様に後胴部１４の外表面に設けられている。固定部材１２８ｂの折り曲げ部２６を挟んで反対側の位置に設けられる固定部材１２８ａは、後胴部１４に設けられた紐部１５４に形成されている。固定部材１２８ａを、紐部１５４を介して設けることで、図１１に示すように、折り曲げ部２６で折り曲げて、固定部材１２８ａ、１２８ｂ同士で固定する際に、折り曲げた後胴部１４同士の距離を開けることができる。したがって、小物入れ１００を設置する際に、小物入れ１００内の物が重くても、安定して、設置することができる。
【００３０】
また、図９に示すように、第２開口部１２２は、第１実施形態の小物入れ１０と同様に、一方の横マチ部１１６ａから前胴部１１２及び他方の横マチ部１１６ｂに向かって連続的に形成されているが、横マチ部１１６ａ、１１６ｂは、第２開口部１２２が後胴部１４から前胴部１１２に向かって、斜め上方に向かって（第１開口部２０に向かって）形成されている。このような構成とすることで、前胴部１１２の上端から第２開口部１２２までの高さＨ１を、第２開口部１２２から底部１８までの高さＨ３より短くすることができる。これにより、小物入れ１００内に高さのある物を入れても、折り曲げ部２６で折り曲げ易くすることができ、第２開口部１２２から内部の物を突出させることができる。
【００３１】
また、小物入れ１００を折り曲げて自立させる際は、後胴部１４において、折り曲げ部２６（折り曲げ位置）から上端までの高さＨ５、及び、折り曲げ部２６（折り曲げ位置）から底部１８までの高さＨ６により、小物入れ１００の傾きが決定されるが、第２実施形態の第２開口部１２２の形状とすることで、前胴部１１２側の第２開口部１２２の位置に関わらず、折り返し部２６の位置を決定することができる。なお、図９から図１１においては、高さＨ５、Ｈ６を同じ高さとしている。
【００３２】
以上説明したとおり、本実施形態の小物入れ１０によれば、かばんに本実施形態の小物入れ１０を入れることで、かばん内の物を整理することができる。また、小物入れ１０内から物を取り出す際は、第１開口部２０から物を取り出すことができる。また、小物入れ１０を取り出し、第２開口部２２を開け、後胴部１４を折り曲げ部２６で折り曲げることで、小物入れ１０を自立させることができ、第２開口部２２から物を取り出すことができる。したがって、小物入れ１０を少ないスペースで置くことができる。
【符号の説明】
【００３３】
１０、５０、１００…小物入れ、１２、１１２…前胴部、１２ａ、１４ａ…端部、１４…後胴部、１６ａ、１６ｂ、１１６ａ、１１６ｂ…横マチ部、１８…底部、２０…第１開口部、２２、１２２…第２開口部、２４…第２開口部開閉手段、２６…折り曲げ部、２８ａ、２８ｂ、１２８ａ、１２８ｂ…固定部材、３０…第１開口部開閉手段、３２…内ポケット、３４…スマートフォン、３６…筆記用具、３８…マチ部、５２ａ、５２ｂ…開閉補助部材、１５４…紐部
【図１】
2020124383.tif 000003
【図２】
2020124383.tif 000004
【図３】
2020124383.tif 000005
【図４】
2020124383.tif 000006
【図５】
2020124383.tif 000007
【図６】
2020124383.tif 000008
【図７】
2020124383.tif 000009
【図８】
2020124383.tif 000010
【図９】
2020124383.tif 000011
【図１０】
2020124383.tif 000012
【図１１】
2020124383.tif 000013
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
前胴部と後胴部と、幅方向に一対に設けられた横マチ部と、底部と、前記底部と反対側に設けられた第１開口部と、を有し、前記第１開口部から前記底部までが連続した空間で形成されている小物入れであって、
前記前胴部及び前記一対の横マチ部は、一方の前記横マチ部から前記前胴部及び他方の横マチ部に連続的に形成された第２開口部と、前記第２開口部を開閉するための第２開口部開閉手段と、を有し、
前記後胴部は、前記一対の横マチ部に形成された前記第２開口部に対応する位置に、折り曲げ部を有し、
前記第２開口部が開いた状態で、前記折り曲げ部を外側に折り曲げることで、前記底部と、前記前胴部及び前記後胴部の前記底部の反対側の端部と、で自立させることができる小物入れ。
【請求項２】
前記第１開口部を開閉するための第１開口部開閉手段を有する請求項１に記載の小物入れ。
【請求項３】
前記後胴部は、前記折り曲げ部を除いた領域に、補強部材を備える請求項１又は２に記載の小物入れ。
【請求項４】
前記後胴部は、前記後胴部を前記折り曲げ部で折り曲げた時に、前記折り曲げ部を挟んで対応する位置に、固定部材を有する請求項１から３のいずれか１項に記載の小物入れ。
【請求項５】
前記固定部材が面ファスナーである請求項４に記載の小物入れ。
【請求項６】
前記固定部材が磁石である請求項４に記載の小物入れ。
【請求項７】
前記第２開口部が開いた状態で、前記折り曲げ部を外側に折り曲げることで、前記第２開口部から内部の物を突出させる請求項１から６のいずれか１項に記載の小物入れ。
【請求項８】
前記後胴部の内側で、前記折り曲げ部より底部側にポケット部を有する請求項１から７のいずれか１項に記載の小物入れ。
【請求項９】
前記後胴部の前記折り曲げ部の両側部に、開閉補助部材を有する請求項１から８のいずれか１項に記載の小物入れ。